(57)【要約】    【課題】  良好な周波数特性をもって録音可能であって、しかも音源の向きに応じて任意に向きを調整できるようにしたマイクロホンを有する音声レコーダを提供する。    【解決手段】  音声レコーダの外筐の上部に、左右のマイクロホン２７、２８を逆Ｖ字状であって、いわゆるＸＹ型に配置し、しかも左右のマイクロホン２７、２８を取付けた回動枠２６を前方側に３０度、背面側に４５度傾けることができるようにし、これによってステレオ感を向上させ、また録音被写体に向けての指向性を合わせ込むことができるようにする。ここで回動枠２６上には、左右のマイクロホン２７、２８を保護するために、アーチ状に形成したガード３１、３２を取付けるようにし、強度面での保護と、この音声レコーダをその背面側を下にして置く際における支持手段に使用できるようにする。    【選択図】    図２
2007043510.tif 000002
【特許請求の範囲】
【請求項１】
ポータブル型の音声レコーダにおいて、
筐体の上部に左右一対のマイクロホンを、それらの軸線が交差するように配するとともに、前後方向に回動自在に取付けたことを特徴とするポータブル式音声レコーダ。
【請求項２】
左右一対のマイクロホンの軸線の延長部分が約９０度の角度で交差するように配されることを特徴とする請求項１に記載のポータブル式音声レコーダ。
【請求項３】
左右一対のマイクロホンの軸線の延長部分が交わる角度が調整可能であることを特徴とする請求項１に記載のポータブル式音声レコーダ。
【請求項４】
左右一対のマイクロホンがそれぞれ移動台上に取付けられ、該移動台がレール上で移動可能であることを特徴とする請求項３に記載のポータブル式音声レコーダ。
【請求項５】
筐体の上部に回動枠が回動自在に取付けられるとともに、該回動枠上に前記左右一対のマイクロホンが取付けられることを特徴とする請求項１に記載のポータブル式音声レコーダ。
【請求項６】
筐体の上部の両側にそれぞれ上方に突出するようにアームが連設され、該アームによってヒンジを介して前記回動枠が取付けられることを特徴とする請求項１に記載のポータブル式音声レコーダ。
【請求項７】
前記回動枠は前方側よりも後方側に大きく回動されることを特徴とする請求項６に記載のポータブル式音声レコーダ。
【請求項８】
前記回動枠にガードが取付けられ、該ガードが前記左右一対のマイクロホンの先端側に位置し、前記マイクロホンを保護することを特徴とする請求項５に記載のポータブル式音声レコーダ。
【請求項９】
前記ガードがアーチ状をなし、前記回動枠上において前後にそれぞれ取付けられるとともに、前後のガードが連結部材によって連結されることを特徴とする請求項８に記載のポータブル式音声レコーダ。
【請求項１０】
前記ガードを背面側に倒して、背面を下にして置いたときの支持手段とすることを特徴とする請求項９に記載のポータブル式音声レコーダ。
【発明の詳細な説明】
【技術分野】
【０００１】
本発明はポータブル式音声レコーダに係り、とくに左右一対のマイクロホンを有するポータブル式音声レコーダに関する。
【背景技術】
【０００２】
音声を録音するための手段として、音声レコーダが広く用いられている。音声レコーダは、マイクロホンによって集音された音声を電気信号に変換し、記録媒体上に音声信号を記録するものである。とくに上記の音声信号の記録媒体として、磁気テープや光ディスク、あるいは半導体メモリ等を用いたものが広く用いられている。
【０００３】
とくにポータブル式音声レコーダにおいては、その外筐の一部にマイクロホンを埋設して取付けておくと、このマイクロホンによって外部の音声を集音して直接録音することが可能になり、外付けのマイクロホンを必要としなくなる。ところが単一の無指向性のマイクロホンを筐体の一部に取付けた音声レコーダは、必ずしも所望の周波数特性の録音を実現することができず、このために臨場感に乏しい再生音しか再生されないようになる問題がある。
【０００４】
実用新案登録第２５５８２７３号公報には、先端部でマイクロホン本体をそして後端部でマイクロホンコードをそれぞれ支持する弾性を有する線材で作られた２本のマイクロホン支持ロッドと、螺合手段の一方が形成されたベース部材と、上記マイクロホン支持ロッドを装着するロッド装着溝が形成された第１および第２取付部と、上記マイクロホン支持ロッドを上記ロッド装着溝に装着した状態で、上記ベース部材と上記第１および第２取付部材を上記ベース部材に対して固定する上記一方の螺合手段に螺合する他方の螺合手段とを備えた支持ロッド固定部とを有するマイクロホン支持具が開示されている。
【０００５】
このようなマイクロホン支持具によれば、一対のマイクロホンによって左右のチャンネルの音声をそれぞれ収録することができるものの、一対のマイクロホンが互いに反対方向側方に向かって配されているために、左右の中間の部位の音が抜けるいわゆる中抜け現象を生ずる欠点がある。またこのようなマイクロホン支持具によって取付けられるマイクロホンは、必ずしも音声レコーダと組合わせて用いるのには、大掛かりで、その取扱いが煩雑になる欠点がある。
【０００６】
実開昭５１−８４４２７号公報には、互いに螺合する同径のギヤ上に夫々マイクロホン素子を取付けると共に、上記ギヤの一方にピニオンを噛合せしめ、該ピニオンを回転させることにより上記マイクロホン素子の開き角度を調整するようにしたステレオマイクロホンにおいて、上記マイクロホン素子の開き角度を規制させる手段を設けたステレオマイクロホンが開示されている。
【０００７】
このマイクロホンも、左右のマイクロホン素子の軸線の先端部が互いに側方に向かうように一対のマイクロホン素子が配される。従って左右の中間部の音が抜ける中抜け現象を防止することができない。またこのようなマイクロホンを音声レコーダと組合わせて用いる場合には、コネクタケーブルやジャックによって、音声レコーダのジャックに接続しなければならず、音声レコーダの筐体の形状によっては、マイクロホンが安定しない問題がある。
【特許文献１】実用新案登録第２５５８２７３号公報
【特許文献２】実開昭５１−８４４２７号公報
【発明の開示】
【発明が解決しようとする課題】
【０００８】
本願発明の課題は、高品質の音質の録音が可能なポータブル式音声レコーダを提供することである。
【０００９】
本願発明の別の課題は、所望の周波数特性を実現できるポータブル式音声レコーダを提供することである。
【００１０】
本願発明のさらに別の課題は、左右一対のマイクロホンによって、高品質のステレオ録音が可能なポータブル式音声レコーダを提供することである。
【００１１】
本願発明のさらに別の課題は、音源の位置に応じて、マイクロホンの向きや角度を任意に調整することができるポータブル式音声レコーダを提供することである。
【００１２】
本願発明のさらに別の課題は、外付けのマイクロホンを用いることなく、しかも高音質の録音が可能な音声レコーダを提供することである。
【００１３】
本願発明のさらに別の課題は、左右一対のマイクロホンによって収録する際に、左右の中間部の音が抜ける中抜け現象を回避するようにしたステレオ録音が可能なポータブル式音声レコーダを提供することである。
【００１４】
本願発明の上記の課題および別の課題は、以下に述べる本願発明の技術的思想、およびその実施の形態によって明らかにされる。
【課題を解決するための手段】
【００１５】
本願の主要な発明は、ポータブル型の音声レコーダにおいて、
筐体の上部に左右一対のマイクロホンを、それらの軸線が交差するように配するとともに、前後方向に回動自在に取付けたことを特徴とするポータブル式音声レコーダに関するものである。
【００１６】
ここで、左右一対のマイクロホンの軸線の延長部分が約９０度の角度で交差するように配されてよい。また左右一対のマイクロホンの軸線の延長部分が交わる角度が調整可能であってよい。また左右一対のマイクロホンがそれぞれ移動台上に取付けられ、該移動台がレール上で移動可能であってよい。また筐体の上部に回動枠が回動自在に取付けられるとともに、該回動枠上に前記左右一対のマイクロホンが取付けられてよい。また筐体の上部の両側にそれぞれ上方に突出するようにアームが連設され、該アームによってヒンジを介して前記回動枠が取付けられてよい。また前記回動枠は前方側よりも後方側に大きく回動されてよい。また前記回動枠にガードが取付けられ、該ガードが前記左右一対のマイクロホンの先端側に位置し、前記マイクロホンを保護するようにしてよい。また前記ガードがアーチ状をなし、前記回動枠上において前後にそれぞれ取付けられるとともに、前後のガードが連結部材によって連結されてよい。また前記ガードを背面側に倒して、背面を下にして置いたときの支持手段としてよい。
【発明の効果】
【００１７】
本願の主要な発明は、ポータブル型の音声レコーダにおいて、筐体の上部に左右一対のマイクロホンを、それらの軸線が交差するように配するとともに、前後方向に回動自在に取付けたものである。
【００１８】
従ってこのようなポータブル式音声レコーダによれば、筐体の上部に設けた左右一対のマイクロホンによって集音して音声を記録することが可能になる。しかも左右一対のマイクロホンは、それらの軸線が交差するように配されているために、中間の音が抜け難く、これによって高品質の録音が可能になる。また前後方向に回動自在であることから、音声の向きに応じてマイクロホンの角度を任意に調整できるようになる。
【発明を実施するための最良の形態】
【００１９】
以下本願発明を図示の実施の形態によって説明する。図１および図２は本実施の形態に係るポータブル式音声レコーダの外観を示しており、このポータブル式音声レコーダは、偏平な直方体状をなす外筐１０を備える。外筐１０の前面側には、左右一対のレベルメータ１１、１２が配される。これらのレベルメータ１１、１２は左右の音声の録音レベルを表示するメータである。上記レベルメータ１１、１２の下側には液晶表示パネルから成る表示部１３が設けられ、表示部１３によってモード表示等の必要な表示がなされる。そして表示部１３の下側には、複数の操作釦１４が配され、これらの操作釦１４によってモードの選択、その他各種の入力操作を可能にしている。
【００２０】
筐体１０の左側の側面には、調整つまみ１７が設けられている。この調整つまみ１７は、ジャックを介して接続されるヘッドホンの音声レベルを調整するためのものである。これに対して筐体１０の右側には左右一対の録音音量つまみ１９、２０が同軸状に配され、これらの音量調整つまみ１９、２０によって左右の録音レベルを互いに独立に調整できるようにしている。またとくに図１Ｂおよび図２Ｂに示すように、筐体１０の右側の側面には蓋２１が取付けられるとともに、この蓋２１の内側がスロット２２になっており、スロット２２を通して半導体メモリを装着できるようになっている。
【００２１】
外筐１０の上部には回動枠２６が取付けられており、この回動枠２６によって左右のマイクロホン２７、２８が逆Ｖ字状に取付けられている。すなわちマイクロホン２７、２８は、それらの軸線の先端部が互いに９０度の角度で交差するようになっている。回動枠２６は左右一対のアーム２９、３０にそれぞれ取付けられているヒンジによって回動自在に取付けられている。また回動枠２６上には、前後一対のガード３１、３２が取付けられ、これらのガード３１、３２は連結部材３３によって互いに連結されている。
【００２２】
筐体１０の下端であってその背面側には電池蓋３６が取付けられる。そして電池蓋３６の内側は、図３に示すような電池収納部になっており、この電池収納部内に電池ケース３７が挿入されるようになっている。電池ケース３７は例えば４本の乾電池３８を収納保持し、これらの乾電池３８の出力によってこの音声レコーダを駆動するようになっている。
【００２３】
次にこの音声レコーダの特徴である左右一対のマイクロホン２７、２８の取付け構造について図４〜図９によって説明する。回動枠２６の左端側の部分は図４に示すＬ字状ブラケット４１によって回動可能に支持される。Ｌ字状ブラケット４１にはさらに取付け板４２が取付けられ、この取付け板４２はその背面側の保持板４３を筒状連結部４４を介して連結して取付けられている。そして上記取付板４２と保持板４３との間に板ばね４５が介装され、この板ばね４５によって取付け板４２の回動に対して摩擦力を与えるようにし、回動枠２６が不測に自由に回転するのを阻止している。
【００２４】
これに対して回動枠２６の右側の部分は、図５に示すＬ字状ブラケット５１および取付け板５２によって回動自在に支持される。取付け板５２は保持板５３を備え、これらの取付け板５２と保持板５３とが筒状連結部５４を介してＬ字状ブラケット５１に回動自在に支持される。従って取付け板５２に取付けられる回動枠２６が回動可能に支持される。
【００２５】
図６は回動枠２６の左側の部分を回動可能に支持するＬ字状ブラケット４１と取付け板４２の取付け構造を示している。これに対して図７は、筐体１０の右端において、Ｌ字状ブラケット５１と取付け板５２とを介して、回動枠２６を回動可能に取付ける構造を示している。
【００２６】
図８に示すように、左側の取付け板４１はビス５７によって回動枠２６を取付けている。これに対して右側の取付け板５２はビス５８によって回動枠２６を取付けている。そして回動枠２６上にはプリント基板６０が配され、このプリント基板６０に、上記マイクロホン２７、２８から引出されたリード線６１、６２が接続される。またプリント基板６０からは左右の引出し線６３、６４が引出されるようになっている。また上記回動枠２６上にはカバー６５が取付けられ、このカバー６５によってプリント基板６０とリード線６１〜６４とを覆うようになっている。
【００２７】
従ってこのような音声レコーダによれば、左右一対のマイクロホン２７、２８を取付けている回動枠２６は、その左右両端がそれぞれ取付け板４２、５２に取付けられるとともに、取付け板４２、５２が左右のブラケット４１、５１によって回動自在に支持される。従ってこのことから、マイクロホン２７、２８を取付けている回動枠２６が前後方向に回動することになる。ここで左右の保持板４３、５３には図４および図５に示すように、それぞれ突部４６、５５が形成され、これらの突部４６、５５が保持板４３、５３の切欠き４７、５６内に受入れられており、これらの突部４６、５５の回動範囲が切欠き４７、５６によって規制される。とくにここでは、回動枠２６は、前方側へは３０度の角度で回動できるようになっており（図１参照）、これに対して背面側には４０度の角度で回動できるようになっている（図２参照）。
【００２８】
しかも回動枠２６上におけるマイクロホン２７、２８は、それらの軸線が互いに交差するとともに、交差角が約９０度の値になるように配置されている。このようないわゆるＸＹ型の配置のマイクロホンによると、左右からの音声のみならず、左右の中間からの音をも確実に集音することができ、これによって理想的な周波数特性とすることができる。
【００２９】
図１０は本実施の形態に係る音声レコーダによって録音を行なったときの、周波数特性を示しており、この周波数特性から明らかなように、広い帯域に亙って高い応答性を有する特性が明らかに示される。図１１は指向性の特性を示すものであって、この特性から明らかなように、中間部分の音が抜けるいわゆる中抜けが防止されることが立証される。
【００３０】
図１２は図１０と同様の周波数特性を示すものであって、この特性は、フロントスクリーンとフロントグリルとを取外した状態で周波数特性を測定したときのデータである。
【００３１】
またこのような音声レコーダは、とくに回動枠２６を図２に示すように背面側に倒した状態で、背面を下にして置く際に、回動枠２６上の左右のマイクロホン２７、２８を保護するガード３２がスタンドとしての役割を果たすことになり、これによって斜めに傾斜した状態でこの音声レコーダを保持することが可能になる。
【００３２】
次に別の実施の形態を図１３〜図１６によって説明する。この実施の形態は、左右のマイクロホン２７、２８をそれぞれ移動台７１、７２上に取付けるようにし、しかも移動台７１、７２を回動枠に相当するレール７３上に移動可能に取付けるようにしている。従って移動台７１、７２をレール７３上で移動させることによって、左右のマイクロホン２７、２８の取付け位置を変更することが可能になり、例えば図１５に示すように、それらの軸線が互いにほぼ９０度の角度で交差するように配することが可能になる。あるいはまた図１６に示すように、左右のマイクロホン２７、２８が左右に並置された状態で、それらの軸線が平行になるように配置することができる。従って使用するときの条件に応じて、左右のマイクロホン２７、２８の向きを任意に調整し、これによってより良好な特性の録音を可能にすることができる。
【００３３】
以上本願発明を図示の実施の形態によって説明したが、本願発明は上記実施の形態によって限定されることなく、本願に含まれる発明の技術的思想の範囲内において各種の変更が可能である。例えば上記実施の形態は、半導体メモリの記録媒体とする音声レコーダに関するものであるが、本願発明は、例えばテープカセットや光ディスクあるいは光磁気ディスク等を記録媒体とする音声レコーダに適用することも可能である。
【産業上の利用可能性】
【００３４】
本願発明は、ポータブル式音声レコーダに広く利用可能である。
【図面の簡単な説明】
【００３５】
【図１】マイクロホンを前方に傾けた状態の斜視図および側面図である。
【図２】マイクロホンを背面側に傾けた状態の斜視図および側面図である。
【図３】マイクロホンを前方に向けて傾けた状態の縦断面図である。
【図４】左側のヒンジブラケットの構造を示す斜視図および縦断面図である。
【図５】右側のヒンジブラケットの構造を示す斜視図および縦断面図である。
【図６】左側のヒンジブラケットの取付け構造を示す斜視図である。
【図７】右側のヒンジブラケットの取付け構造を示す斜視図である。
【図８】回動枠の分解斜視図である。
【図９】回動枠を取付けた状態の要部斜視図である。
【図１０】この音声レコーダの周波数に対するレベル、すなわち周波数特性を示すグラフである。
【図１１】指向性の特性を示すグラフである。
【図１２】フロントスクリーンとフロントグリルとを取外した状態の周波数特性を示すグラフである。
【図１３】変形例のマイクロホンの取付け構造を示す要部斜視図である。
【図１４】同マイクロホンの逆方向から見た状態の斜視図である。
【図１５】左右のマイクロホンを、それらの軸線が互いに交差するように配置した状態の平面図である。
【図１６】左右のマイクロホンを、それらの軸線が互いに平行になるように配した状態の平面図である。
【符号の説明】
【００３６】
１０…筐体、１１…レベルメータ（左）、１２…レベルメータ（右）、１３…表示部、１４…操作釦、１７…調整つまみ（ヘッドホン用）、１９…録音音量調整つまみ（左）、２０…録音音量調整つまみ（右）、２１…蓋、２２…スロット、２６…回動枠、２７…マイクロホン（左）、２８…マイクロホン（右）、２９…アーム（左）、３０…アーム（右）、３１…ガード（前）、３２…ガード（後）、３３…連結部材、３６…電池蓋、３７…電池ケース、３８…乾電池、４１…Ｌ字状ブラケット（左）、４２…取付け板、４３…保持板、４４…筒状連結部、４５…板ばね、４６…突部、４７…切欠き、５１…Ｌ字状ブラケット（右）、５２…取付け板、５３…保持板、５４…筒状連結部、５５…突部、５６…切欠き、５７、５８…ビス、６０…プリント基板、６１、６２…リード線、６３、６４…引出し線、６５…カバー、７１…移動台（左）、７２…移動台（右）、７３…レール
【図１】
2007043510.tif 000003
【図２】
2007043510.tif 000004
【図３】
2007043510.tif 000005
【図４】
2007043510.tif 000006
【図５】
2007043510.tif 000007
【図６】
2007043510.tif 000008
【図７】
2007043510.tif 000009
【図８】
2007043510.tif 000010
【図９】
2007043510.tif 000011
【図１０】
2007043510.tif 000012
【図１１】
2007043510.tif 000013
【図１２】
2007043510.tif 000014
【図１３】
2007043510.tif 000015
【図１４】
2007043510.tif 000016
【図１５】
2007043510.tif 000017
【図１６】
2007043510.tif 000018